(57)【特許請求の範囲】
【請求項１】
射出装置からノズルまたはダイあるいはＴダイを介して金型上に溶融樹脂を吐出し、次いで型締めを行うことにより樹脂成形品を成形する樹脂成形装置において、
前記ノズルまたはダイあるいはＴダイに取り付けられた支持脚と、
前記支持脚に保持され、前記ノズルまたはダイあるいはＴダイの吐出口の斜め前方に配置され、前記吐出口に向けて赤外線を照射する赤外線ヒータと、
を備えたことを特徴とする樹脂成形装置。
【請求項２】
射出装置からノズルまたはダイあるいはＴダイを介して金型上に溶融樹脂を吐出し、次いで型締めを行うことにより樹脂成形品を成形する樹脂成形装置において、
前記ノズルまたはダイあるいはＴダイに取り付けられた支持脚と、
前記支持脚の先に支持された回転プレートと、
前記支持脚に固定され、前記回転プレートの傾斜角度を変える空圧シリンダと、
前記ノズルまたはダイあるいはＴダイの吐出口と向かい合う位置で、前記回転プレートに取り付けられたシャッタと、
前記シャッタの内部に組み込まれ、前記シャッタを加熱するための赤外線ヒータと、
を備え、
前記空圧シリンダを前進させると、前記シャッタが前記吐出口に密着して前記吐出口の開口面の溶融樹脂が大気に触れることを防ぎ、前記空圧シリンダを後退させると、前記シャッタが退避して前記吐出口を開くこと、
を特徴とする樹脂成形装置。
【発明の詳細な説明】
【技術分野】
【０００１】
本発明は、射出装置からノズルまたはダイあるいはＴダイ等を介して金型上に溶融樹脂を吐出し、次いで型締めを行うことにより樹脂製品を成形する樹脂成形装置に係り、特に、溶融樹脂を吐出するノズルまたはダイあるいはＴダイの吐出口周りの構造に関する。
【背景技術】
【０００２】
射出装置からノズルまたはダイあるいはＴダイを介して金型上に溶融樹脂を吐出し、次いで型締めを行なうことにより樹脂製品を成形する樹脂成形装置においては、射出装置から溶融樹脂を射出することにより、既にノズルまたはダイあるいはＴダイに充満している溶融樹脂が、ノズルまたはダイあるいはＴダイの吐出口より金型上に吐出される。また、それと同時に、射出装置の次回の射出動作で金型上に吐出される溶融樹脂が、ノズルまたはダイあるいはＴダイに充填される。射出装置の次回の射出動作が開始されるまでの間、ノズルまたはダイあるいはＴダイの吐出口に充満している溶融樹脂は、吐出口の開口面で大気と触れ、その部分の温度が局部的に低下して固化することがある。
【０００３】
従来の樹脂成形装置では、このような吐出口における樹脂の固化を積極的に防止する対策は、取られていない。
【０００４】
但し、（ａ）射出成形機の射出装置のノズルについては、樹脂垂れの防止を目的として、吐出口を開閉する機構（例えば、ニードル式シャットオフノズル）を設ける場合がある。（ｂ）Ｔダイに関しては、塗工の分野で、液垂れの防止を目的として、吐出口にシャッタを設けた例がある（特許第２９１７２７号）。（ｃ）ダイに関しては、樹脂漏れを防ぐために、カッターで溶融樹脂を切断後、吐出口を塞ぐ機構を設けた例がある（実公平７−２３２１６号）。
【０００５】
（従来技術の問題点）
吐出口の開口面で一旦固化した樹脂は、その後、金型に送り込まれ、型締めされたとしても、溶融樹脂の温度により再溶融されにくいので、製品の不良の原因となる。特に、透明の樹脂製品については、固化された箇所が製品に明確に不具合として現われる。
【０００６】
シャットオフ機構を持たないオープンノズル、あるいは吐出口の開閉機構が無いＴダイやダイの場合、吐出口の開口面が大気に曝されるため、吐出口の開口面で溶融樹脂が固化され易い。
【０００７】
また、ニードル式シャットオフノズルを使用した場合、ニードルバルブ及びその駆動機構との間の干渉を避けるため、ノズル内で溶融樹脂の流路が屈曲する構造となる。そのため、ノズル内で溶融樹脂が滞留し易く、滞留した溶融樹脂により不具合を生じやすい成形品を製造する場合には、ニードル式シャットオフノズルを使用することができない。
【０００８】
ロータリ式シャットオフバルブを使用した場合、ロータリバルブ自体はノズルの先端部に配置されていないため、オープンノズルと同様にその開口面が大気に曝されることになる。このため、吐出口の開口面で溶融樹脂が固化され易い状態となる。
【０００９】
吐出口の開閉機構を備えたＴダイやダイについては、目的が液垂れや樹脂漏れの防止にあることから、シャッタ等の開閉板自体は、その構成にもよるが、Ｔダイやダイからの伝熱である程度加熱されるのみで、吐出口の開口面の溶融樹脂と接触する部分の温度をコントロールすることはできない。
【先行技術文献】
【特許文献】
【００１０】
【特許文献１】特許第２９１７２７号公報
【特許文献２】実公平７−２３２１６号公報
【発明の概要】
【発明が解決しようとする課題】
【００１１】
本発明は、以上のような従来の樹脂成形装置における問題点に鑑み成されたもので、本発明の目的は、樹脂成形装置において、ノズルまたはダイあるいはＴダイの吐出口の開口面での溶融樹脂の固化を防ぎ、製品の不具合を低減することにある。
【課題を解決するための手段】
【００１２】
本発明の樹脂成形装置は、
射出装置からノズルまたはダイあるいはＴダイを介して金型上に溶融樹脂を吐出し、次いで型締めを行なうことにより樹脂成形品を成形する樹脂成形装置において、
ノズルまたはダイあるいはＴダイの吐出口の開口面の溶融樹脂を保温または加熱するための赤外線ヒータを、吐出口に向けて吐出口の斜め前方に配置したことを特徴とする。
【００１３】
本発明の樹脂成形装置によれば、ノズルまたはダイあるいはＴダイの吐出口の開口面の溶融樹脂を赤外線ヒータを用いて保温または加熱することにより、前記開口面での溶融樹脂の局部的な固化を防ぐことができる。
【００１４】
また、ノズルまたはダイあるいはＴダイの吐出口の開口面の溶融樹脂を赤外線ヒータを用いて保温または加熱する代わりに、吐出口を閉鎖するためのシャッタを設け、このシャッタをヒータで加熱しても良い。
【発明の効果】
【００１５】
本発明によれば、ノズルまたはダイあるいはＴダイの吐出口の開口面の溶融樹脂の局部的な固化を確実に防止することよって、固化した樹脂に起因するフローマーク等の不具合の発生を抑え、あるいは、成形品の品質を高めることができる。
【図面の簡単な説明】
【００１６】
【図１】本発明に基づく樹脂成形装置の一例を示すであって、この例では赤外線ヒータが使用されている。
【図２】本発明に基づく樹脂成形装置の一例を示すであって、この例ではヒータを備えたシャッタが使用されている。
【発明を実施するための形態】
【００１７】
図１に、本発明に基づく樹脂成形装置の一例（主要部のみ）を示す。図中、１はＴダイ、２は吐出口、４は赤外線ヒータ、１０は射出装置（部分）を表わす。
【００１８】
射出装置１０の先に、Ｔダイ１が取り付けられている。Ｔダイ１の側面に、支持脚３が取り付けられ、この支持脚３の先に赤外線ヒータ４が保持されている。赤外線ヒータ４は、赤外線の照射方向を吐出口２に向けて、吐出口２の斜め前方に配置されている。
【００１９】
なお、この例では、赤外線ヒータ４は固定式であるが、赤外線ヒータ４を可動式として任意の位置に調整したり、吐出時に溶融樹脂が付着しないように後方に退避できる構造とすることも考えられる。
【００２０】
また、従来、Ｔダイ１の吐出口２の部分は大気に触れ、温度コントロールされているＴダイ１本体よりも、温度が低下する傾向にあるが、本発明によれば、吐出口２の開口面の溶融樹脂と同時に、吐出口２も保温または加熱されるので、温度の均一性を向上することができる。このことは、Ｔダイ２のみならず、ノズル及びダイを用いた場合も同様である。
【００２１】
図２に、本発明に基づく樹脂成形装置の他の例（主要部のみ）を示す。図中、１はＴダイ、８はシャッタ、９はヒータを表わす。
【００２２】
射出装置１０の先に、Ｔダイ１が取り付けられている。Ｔダイ１の側面には、支持脚３が取り付けられ、この支持脚３に、軸１１を介して回転プレート７が取り付けられている。回転プレート７の外周上のＴダイ１の吐出口２と向かい合う部分には、シャッタ８が取り付けられている。シャッタ８には、カートリッジヒータ９が組み込まれている。回転プレート７の外周近傍のＴダイ１の吐出口２とは反対側の部分には、スロット１２が形成されている。支持脚３には、更に、空圧シリンダ６が固定されている。空圧シリンダ６のピストンの先は、ピン１３を介して上記のスロット１２に接続されている。
【００２３】
空圧シリンダ６を駆動することによって、回転プレート７が軸１１の回りで傾動角度を変える。空圧シリンダ６のピストンを前進させると、シャッタ８がＴダイ１の吐出口２に密着して、吐出口２を塞ぐ。空圧シリンダ６のピストンを後退させると、図２の中で符号８ａで示すように、シャッタ８が後方に退避して、吐出口２を開く。
【００２４】
吐出口２から溶融樹脂を吐出した後、シャッタ８で吐出口２を塞いで、吐出口２の開口面の溶融樹脂が大気に触れることを防ぐ。この時、シャッタ８はカートリッジヒータ９により加熱され、その温度は適切にコントロールされている。また、シャッタ８の表面には、溶融樹脂が付着しないように、好ましくはフッ素系のコーティングまたはメッキ処理を施す。なお、シャッタ８は樹脂漏れを防ぐ機能も併せ持つ。
【符号の説明】
【００２５】
１・・・Ｔダイ、２・・・吐出口、３・・・支持脚、４・・・赤外線ヒータ、６・・・空圧シリンダ、７・・回転プレート、８・・・シャッタ（閉じた状態）、８ａ・・・シャッタ（開いた状態）、９・・・カートリッジヒータ、１１・・・軸、１２・・・スロット、１３・・・ピン。
【図１】
0005401585.tif 000002
【図２】
0005401585.tif 000003